(57)【特許請求の範囲】
【請求項１】
鏡面が凸状に形成された鏡体と、該鏡体を支持すべく周縁部分にて鏡体の背面鋺部に周囲を溶着させたバックプレートと、上記バックプレートの背面に設けられた取り付け金具とを有する道路反射鏡本体に於て、前記鏡体の裏面に接して、木質and/or非木質繊維と増粘剤とエチレングリコールに適当量のジメチル・フェニル・スルファミドを有効主成分とする防腐剤を加えた粘土状物質からなる蓄熱材を設け、該蓄熱材とバックプレート間には、その少くともその片面にダンボール紙や古新聞紙のような印刷物を含む紙質材を添装した断熱材を密に介在させたことを特徴とする道路反射鏡。
【発明の詳細な説明】
【０００１】
【産業上利用の分野】
本発明は交差点や目視による確認が難しい場所に設置される道路反射鏡に関し、特に鏡体の鏡面の曇り止め機能を有する道路反射鏡に関する。
【０００２】
【従来の技術】
従来鏡体の鏡面の曇り止め機能を有する道路反射鏡に関しては、例えば特公平５−８４７６４号発明が知られている。これは反射鏡の背面に薄い熱の緩衝層を設けると共に、該緩衝層の裏側に袋体等の容器内に不凍液（水溶液を含む）を充填した蓄熱装置を設けたものである。
【０００３】
しかし乍ら反射鏡の背面と蓄熱層の間に緩衝層を設けることは、かえって蓄熱装置の蓄熱効果を損なう欠点があり、袋体等の容器に不凍液を充填してから、さらに緩衝層の裏側に蓄熱装置を配することも頗る面倒でそれだけコスト高となるばかりか、かかる袋体などの容器を緩衝層の裏面に均一に配することはむずかしく隙間ができ、結局反射鏡の表面に結露が斑となって発生する原因となっていた。
【０００４】
またかかる不凍液や水溶液からなる蓄熱装置は、これを袋体などの容器に詰め縦方向に緩衝層の裏側に設けることになるから、その下方のみかかる不凍あるいは水溶液が溜り、上方は配置されないことになる。この結果反射鏡はその上方に三日月状の結露が発生することになる。
【０００５】
更にこの種の蓄熱装置は通常屋外において用いられるため、長期に亘って使用し続けることによる劣化などにより当該蓄熱装置内に雑菌が発生したり、黴が発生したりして衛生上の問題だけでなく、悪臭を発し不快感を抱かせる欠点があった。
【０００６】
【発明が解決しようとする課題】
本発明の目的は構造簡単で製造し易くそれだけ安値であり乍ら、更に結露防止効果が高く、長時間使用しても蓄熱装置内に雑菌が発生したり黴が生えたりすることがないようにしたことである。
【０００７】
【課題を解決するための手段】
本発明の特徴は、鏡面が凸状に形成された鏡体と、該鏡体を支持すべく周縁部分にて鏡体の背面鋺部に周囲を溶着させたバックプレートと、上記バックプレートの背面に設けられた取り付け金具とを有する道路反射鏡本体に於て、前記鏡体の裏面に接して、木質and/or非木質繊維と増粘剤とエチレングリコールに適当量のジメチル・フェニル・スルファミドを有効主成分とする防腐剤を加えた粘土状物質からなる蓄熱材を設け、該蓄熱材とバックプレート間には、その少くともその片面にダンボール紙や古新聞紙のような印刷物を含む紙質材を添装した断熱材を密に介在させたことである。
【０００８】
而して本発明者は秀れた抗菌，防黴剤としてジメチル・フェニル・スルファミドが最適であることを見い出し、かかるジメチル・フェニル・スルファミドの有効主成分の適当量を該蓄熱材の主原料に配合したこともまた本発明の特徴である。
【０００９】
即ち、このジメチル・フェニル・スルファミドは、喘息や皮膚炎などアレルギー原因菌であるアルテルナリア  アルテルナータ（Alternaria alternata），同皮膚炎などを起すオーレオバシディウム プルランス（Aureobasidium pullulans）やパエシロミセス バリオッティ（Paecilomyces Variotti）やパエシロミセスリラシナス（Paecilomyces lilacinus）などの日和見病原性菌で代表される約１５９種の真菌（黴）の外、スタフィロコッカス エピデルミディス（Staphylococcus epidermidis）などの表皮ブドウ球菌で代表される約２５種の細菌（バクテリア）に有効であり、酸からアルカリまで広いＰＨ対応範囲を持ち、また原材料に配合される道路反射鏡に造形された類はその定着効果が長期間持続することが知られている。
【００１０】
しかもそれは熱や化学物質に対し優れた薬剤安定性を有し、低い濃度で安定したＭＩＣ値（発育阻止最低濃度）を示すことであり、塗料の混入からプラスチック成型品への練り込みなど、性質の違う素材に対し幅広い対応力を持っていることも判っている。
【００１１】
なお他本発明にはこの他にその目的，秀れた構成上の特徴，秀れた作用効果があるが以下の実施例でこれらを明らかにする。
【００１２】
【発明の態様】
本発明の一実施例を図面で説明すると（３）は道路反射鏡本体で、鏡面が凸形に形成された鏡体（１）と、鏡体（１）の背面周囲に連結されたバックプレート（２）と、バックプレート（２）の背面に設けられた取付金具（４）と、取付金具（４）と連結され鏡体（１）を保持する支柱（５）とから構成されている。
【００１３】
なお、鏡体（１）の周縁部分とバックプレート（２）との間には密に溶着され、雨水等の侵入を防止するようになすことが肝要である。
【００１４】
（６）は鏡体（１）の裏面に接して設けた蓄熱材である。この蓄熱材（６）はパルプ質と呼ばれる木質あるいは竹質などの非木質繊維を単体あるいは混合して用い、これに増粘剤とエチレングリコールと適当量のジメチル・フェニル・スルファミドを有効主成分とする防腐剤を加えるものであるが、この場合この蓄熱材（６）はこれを道路反射鏡本体（３）に配置したときその歩留りをよくすること及び蓄熱効果を挙げる為に粘土状とすることが肝要である。
【００１５】
またこの蓄熱材（６）とバックプレート（２）の間には、断熱材（８）を設けるも、このとき該断熱材（８）と蓄熱材（６）との間には古新聞紙のような紙質材（７）を密に介在させてある。而してこの古新聞紙のような紙質材（７）は、その表面全域に亘って皺が形成されており、これが蓄熱材（６）と断熱材（８）とよく馴み、蓄熱材（６）と断熱材（８）間が剥れたり蓄熱材（６）がずり落ちたりして断熱効果を損なうのを防止する。
【００１６】
なおこの紙質材（７）は上記のように古新聞に限ることなくダンボールのような原紙，各種印刷された古紙など、上記本発明の目的効果を添するものならなんでもよい。またこの紙質材（７）は上記のように蓄熱材（６）と断熱材（８）間に設けるだけでなく、必要に応じてかかる断熱材（８）をバックプレート（２）間にも設けてもよい。さらに図中（９）は上記バックプレート（２）の上部に設けたフードで、冬期での鏡面への雪や霜の付着を防止している。
【００１７】
また上記、取付金具（４）は、第１の金具部（１０）と第２の金具部（１１）とから成っている。第１の金具部（１０）の一端部はバックプレート（２）の背面に固定され、その他端部は第２の金具部（１１）の一端部と連結されている。また第２の金具部（１１）の他端部は支柱（５）に連結可能となっている。第１の金具部（１０）と第２の金具部（１１）とは、取付ボルト（１２）により連結されているが、当該ボルト（１２）を取り外すことにより、バックプレート（２）に鏡体（１）、および第１の金具部（１０）が連結された状態で支柱（５）から容易に分離が行える。これにより、鏡体（１）が破損した様な場合に交換が可能となっている。
【００１８】
而して上記構成の道路反射鏡本体（３）を道路の路肩などに植立させるのであるが、昼間の外気の温度上昇や、直射日光により温められた鏡体（１）からの熱が、鏡体（１）の裏面に設けた蓄熱材（６）に蓄えられる。さらにこの熱の殆どは、外気温が低下する夜間から朝方にかけては逆に、鏡体（１）に徐々に放熱される。この結果鏡体（１）の裏面に設けた蓄熱材（６）には一時的に高温状態となるが、原材料にジメチル・フェニル・スルファミドを配合したことから、蓄熱材（６）内部に雑菌が発生したり黴が生えたりすることを未然に防ぐ事が出来たのである。
【００１９】
なおジメチル・フェニル・スルファミドは複合合成薬剤のため耐性菌が出来難く抗菌スペクトラムは従来ベイズイミダゾールのような有機防黴材の３２菌以下に比べ２５４種を飛躍的にのばし、その熔出度（水・温度）は従来の３，０００ｐｐｍに対し３ｐｐｍとなり、有効ＰＨは４〜８．５ＰＨであったのが１〜１３ＰＨとなった。結果黴抵抗性試験における試験結果、ＪＩＳ変法，ＭＩＬ変法にて雑菌や黴の発生は２８日間の試験期間で確認されなかった。
【００２０】
上述したように、鏡体（１）を既設の道路反射鏡に合わせて製作しておけば、鏡体（１）とバックプレート（２）とを分離することなく蓄熱材（６）をもった道路反射鏡を取り付けることができるため、従来の道路反射鏡を容易に、かつ低コストで結露しない道路反射鏡に改造できる。特に、道路反射鏡の鏡体（１）の大きさは、丸形では直径６００，８００，１０００ミリメートル、角形では４５０×６００ミリメートル等、規格で決められているため、鏡体（１）を予め数種類製作しておけば、殆どの既設の道路反射鏡に適合可能である。
【００２１】
【実施例】
本発明における蓄熱材の実施例について説明する。いま、鏡体（１）として厚さ１m／m，材質ステンレススチールＳＳ３０４，６００φを用い、蓄熱材（６）としては木質繊維３kg，エチレングリコール４kgに適当な増粘剤にジメチル・フェニル・スルファミドを有効主成分とする防腐材及び適量の水を加え攪拌して粘土状とした。
【００２２】
次いで紙質材（７）としては所謂通常の古新聞を用いて構成された道路反射鏡を冬期の寒冷地に設置して数日結露の発生状況をみたが、結露の発生はなく良好な結果を得た。
【００２３】
なお上記蓄熱材（６）はその材料として水１０ｋｇ，ジメチル・フェニル・スルファミドを有効主成分とする防腐剤少量，木質繊維３ｋｇ，エチレングリコール（不凍液）４ｋｇ，レオジック２５０Ｈ（粘着剤／日本純薬株式会社製）の割合で混合したものを用いるが、更に蓄熱材３ｋｇに対してアクリルバルーン（２０〜８０ｍｍ／ｍｍ）を１ｋｇの割合で加えて使用することより蓄熱効果があることが判明した。
【００２４】
このジメチル・フェニル・スルファミドは、粉体素，水素，溶剤素，水分散素が知られているが、ここでは粉体素を用いた。
【００２５】
またこのジメチル・フェニル・スルファミドの薬剤安定温度としては−６０℃〜３９０℃である。
【００２６】
【発明の効果】
以上述べたように、鏡体の裏面に設けた蓄熱材は粘土状とし単に鏡体と適当な紙質材を設けた断熱材との間に充填するだけでその作業は頗る容易であり、充填された蓄熱材は古新聞のような紙質材の存在でよく馴染み蓄熱材と断熱材との間で蓄熱材がずれ落ちたり、下方に落下して溜って、結果鏡面の下方の結露は防止できても上方は結露が発生するなどの不祥事を防止することができたのである。
【００２７】
更に蓄熱材の材料としてパルプ質と呼ばれる木質あるいは竹質などの非木質繊維を単体あるいは混合して用い、これに増粘剤とエチレングリコールと適当量のジメチル・フェニル・スルファミドを有効主成分とする防腐剤を加えたものを用いたことから、複合合成薬剤のため耐性菌が出来難く抗菌スペクトラムは従来ベイズイミダゾールのような有機防黴材の３２菌以下に比べ２５４種を飛躍的にのばし、その熔出度（水・温度）は従来の３，０００ｐｐｍに対し３ｐｐｍとなり、有効ＰＨは４〜８．５ＰＨであったのが１〜１３ＰＨとなった。結果黴抵抗性試験における試験結果、ＪＩＳ変法，ＭＩＬ変法にて雑菌や黴の発生は２８日間の試験期間で確認されなかった。
【００２８】
なおこの効果を確かめる有効な試験法としては上記のＭＩＬ変法（ＭＩＬ ＳＴＤ ８１０Ｄ Ｍｅｔｈｏｄ，５０８．３変法）によったもので、これは実際の現場に即した設定促進試験で、ＪＩＳ規格に比べて試験菌の数・培養時間・培地等どれをとってみても厳しい条件の試験法であるからである。
【００２９】
それは試験菌６２菌（ＪＩＳ試験菌含む），培養時間６０日間，培地ＳＤＡ ＰＤＡ Ｍ４０Ｙ，評価は、０＝菌の発育なし，１＝菌のわずかな発育あり，２＝菌の少量の発育あり，３＝菌の中間的な発育あり，４＝菌の厳しい発育ありの５段階であったが本発明道路反射鏡（１）では菌の発育をみなかった。
【図面の簡単な説明】
【図１】道路反射鏡本体全体の縦断面図
【図２】同本体の一部拡大縦断面図
【符号の説明】
１，    鏡体
２，    バックプレート
３，    道路反射鏡本体
４，    取付金具
５，      支柱
６，      蓄熱材
７，      紙質材
８，      断熱材
９，      フード
１０，    第１の金具部
１１，    第２の金具部
１２，    ボルト
【図１】
0004492912.tif 000002
【図２】
0004492912.tif 000003